(57)【要約】【課題】従来、携帯端末基地局と無線局を構成する装置類の動作変化は監視システム側でチェックする方法が行われてきたが、無線局側で保守点検により装置交換を行った場合、この事態を監視システム側で把握していないと、監視システム側と無線局側とで装置情報が対応せず、システムの動作が混乱する問題があった。このため、これら装置類の対応関係を確保するシステムの実現が課題となっていた。【解決手段】監視システム側では、監視卓で受けた無線局側からの動作変化通知に基づき、増幅装置専用監視制御装置では既に記憶している装置リストと、モデムを介して得られた最新の装置類とリストとの比較表示を行うことにより装置の非対応部分を補正することによりシステムの混乱を回避する構成としている。【選択図】　　図１
2004080122.tif 000002
【特許請求の範囲】
【請求項１】
無線局とその監視システムとで構成されている監視制御システムにおいて、
上記無線局は増幅装置と変復調装置とを有しており、上記増幅装置は複数の増幅器で構成された増幅器群と、上記増幅装置に含まれる各種機器類の動作状態を監視するための監視制御盤および上記増幅装置の付帯機器構成品を含み、
上記監視システムは上記変復調装置に接続されている監視卓と上記監視制御盤に接続されている増幅装置専用監視制御装置とを含む構成となっており、
上記増幅装置専用監視制御装置には無線局を構成している各種装置の装置情報を記憶しているメモリと、上記増幅装置における装置情報を受信して比較表示する装置とが含まれており、この表示結果から動作変化を生じている装置を見出し、上記増幅装置専用監視制御装置により当該装置の動作を制御する
ことを特徴とする無線局監視制御システム。
【発明の詳細な説明】
【０００１】
【発明の属する技術分野】
本発明は通信系の監視制御システムにおいて、監視制御装置による複数の通信局における状態変化の発生検出法およびその通知法に関する。
【０００２】
【従釆の技術】
図２に基地局監視制御システム構成例を示す。基地局監視制御システムの監視システム側は、各基地局の状態を監視する監視卓１（パソコン）と、基地局側に設置されている増幅装置２の各部の動作状態などの情報を取得したり、リモート操作により増幅装置に対してリセット制御を行う機能を有する増幅装置専用監視制御装置４（パソコン）とから構成されている。
また、各基地局側においては、各基地局で入力信号の増幅を行う増幅装置２、増幅装置２に入力される信号に変復調を施す変復調装置３に加えて、増幅装置２の構成品として、複数の増幅器２１（増幅器１〜Ｎ）および装置冷却用ＦＡＮ２２の状態（正常運用・アラーム発生など）を監視し、これら各ユニツトのいずれかに動作状態の変化（異常）が生じたときに変復調装置３を通じて基地局側に通知する機能を有している監視制御盤２３があり、各構成品の動作状態はこの監視制御盤２３の各ポートを通じて取得される。
【０００３】
図２における構成例では監視システム側と各基地局側との間は、上記の動作状態の変化を通知するための専用線（例；光ファイバーケーブル）のほかに、増幅装置専用監視制御装置４（パソコン）と各基地局の監視制御盤２３の間は一般電話回線により接続されているため、監視システム側のモデム５と各基地局側のモデム６も構成品に含まれる。また、監視制御盤２３はモデム６による通信を行うための機能も有している。
監視制御盤２３による基地局側での各構成ユニツトの状態変化の発生通知方法と、監視システム側での基地局側における各構成品の状態等の情報取得方法は以下のようにして実行される。例えば、装置冷却用ＦＡＮ２２に状態変化（正常→異常）が発生した場合を例に挙げると以下のようになる。
▲１▼状態変化が発生したことを監視制御盤２３が認識する。
▲２▼増幅装置２でのいずれかの状態変化が発生した構成品に対応する１つのポートを制御（例；ＯＦＦ→ＯＮ）する。
▲３▼変復調装置３は、上記制御により増幅装置２においていずれかの状態変化があったことを認識し、この情報を監視システム側に送信を行う。
▲４▼送信された情報は専用線を経由して監視卓１に増幅装置２においていずれかの構成品が状態変化を生じたことを通知する。
▲５▼監視卓１では、どの基地局のどこの信号線（ポート）からの信号かを判別することによって、当該基地局の増幅装置２において状態変化が生じたことを認識する。
▲６▼これを受けて、監視システム側においては増幅装置専用監視制御装置４によりモデム５と当該基地局のモデム６とを接続する。
▲７▼上記モデム５および６を介してデータの送受信（データ通信）を行い、当該基地局の増幅装置２の詳細な情報を監視制御盤２３により取得し、取得結果を増幅装置専用監視制御装置４の画面上に表示する。
▲８▼この表示された結果を見て、必要に応じて増幅装置専用監視制御装置４より当該基地局の増幅装置２に対してリセット制御を行う。
このように、従来の方法では、監視システムは各基地局側で生じた状態変化を受信した結果で直ちに状態変化を生じた基地局を停止する手段を講じるものであった。
【０００４】
【発明が解決しようとする課題】
以上述べたように、状態変化を生じた基地局の動作変化は監視システム側で把握することが出来るが、従来の方法では、例えば基地局側で装置構成品の保守・点検により交換が行われた場合、監視システム側ではこの事態を把握していないことがあり、このため本来設置されているべき装置の情報と、実際に設置されている装置の情報とが対応せず、システム動作に混乱を生じることがあった。本発明はこのような問題を解決し、監視システム側の本来設置されているべき装置の情報と、実際の基地局側で設置されている装置の情報との対応関係をチェックできるシステムの提供を目的としている。
【０００５】
【課題を解決するための手段】
上記目的を達成するために、本発明の請求項においては、無線局とその監視システムとで構成されている監視制御システムにおいて、上記無線局は増幅装置と変復調装置とを有しており、上記増幅装置は複数の増幅器で構成された増幅器群と、上記増幅装置に含まれる各種機器類の動作状態を監視するための監視制御盤および上記増幅装置の付帯機器構成品（例えば冷却ＦＡＮ等）を含み、上記監視システムは上記変復調装置に接続されている監視卓と上記監視制御盤に接続されている増幅装置専用監視制御装置とを含む構成となっている。上記増幅装置専用監視制御装置には無線局を構成している各種装置の装置情報を記憶しているメモリと、監視を実行する時点での上記増幅装置における装置情報を受信して上記メモリの内容と比較表示する装置とが含まれており、この表示結果から動作変化を生じている装置を見出し、上記増幅装置専用監視制御装置により当該装置の動作を制御する無線局監視制御システムについて規定している。
【０００６】
【発明の実施の形態】
本実施の形態では、従来この種システムが主に用いられてきたのが携帯端末等の複数の基地局とその監視制御装置であるために、このシステムを対象に説明するが、本発明は、さらに拡張して複数の通信局とその監視制御システムにも適用し得るものである。
図１は監視制御盤内に格納された装置構成情報の例と、監視制御盤が検出した実際の基地局での装置構成情報との比較例を示すものである。図１において、（ａ）は監視制御盤内に格納されている装置構成情報であり、（ｂ）は監視制御盤が検出した実際の装置構成情報の例である。図２における基地局側の監視制御盤２３では、図１における（ａ）および（ｂ）双方の装置構成情報を比較することにより、構成装置としての増幅器ユニット３、４と増幅器ユニット９、１０の４ユニットが不一致である（装置構成情報と実際の装置構成情報との間に誤りがある）ことがわかる。
【０００７】
監視制御盤２３は、状態変化発生を認識したときと同様に、
▲１▼実装状態が不一致であることを監視制御盤２３が認識する。
▲２▼実装状態が不一致に対応する１つのポートを制御（例；ＯＦＦ→ＯＮ）する。
▲３▼図２において、変復調装置３は、上記制御により増幅装置２においていずれかの状態変化または実装不一致があったことを認識し、その情報を変調処理して監視卓１に向けて発信する。
▲４▼発信された信号は、専用線を経由して監視卓１に増幅装置２においていずれかの状態変化または実装不一致があったことを通知する。
▲５▼監視卓１では、どの基地局のどこの信号線（ポート）からの信号かを判別することによって、当該基地局の増幅装置２においていずれかの状態変化または実装不一致があったことを認識する。
▲６▼増幅装置専用監視制御装置４よりモデム５と当該基地局のモデム６を介して接続する処理を行う。
▲７▼監視システム側と基地局側とでデータの送受信（データ通信）を行い、これによって当該基地局の増幅装置２の詳細な情報を監視制御盤２３は取得し、この取得結果を増幅装置専用監視制御装置４の画面上に表示する。
▲８▼監視卓１に登録されている装置構成情報と上記により取得した実装の装置構成情報とを比較表示することにより、実装の装置誤りの場所を遠隔で確認することができる。
【０００８】
以上の動作において、基地局における装置構成の情報を外部からリーダ／ライタを介してあるいは通信手段により直接読み取りあるいは書き込みを行うことも可能であり、これにより基地局の点検・保守のとき以外は全て遠隔監視および制御を行うことが出来るようになる。
【０００９】
【効果】
上記のように、本発明による効果を列挙すれば以下のようになる。
・装置構成情報を格納・参照することにより、システム設置時の装置構成誤りを検出することができる。
・装置構成情報の書き換えが可能なため、システムの装置構成変更時にも装置構成誤りを検出することができる。
・監視卓により遠隔操作での装置構成情報の書き換え・参照が可能となる。
【図面の簡単な説明】
【図１】（ａ）監視システム側で格納されている装置構成例の一覧表、および（ｂ）監視システム側で検出された装置構成例の一覧表を示す図。
【図２】基地局監視制御システム構成例を示すブロック図。
【符号の説明】
１：監視卓　　　　　　　　　　　２：増幅装置
３：変復調装置　　　　　　　　　４：増幅装置専用監視制御装置
５、６：モデム　　　　　　　　　　２１：増幅器（１〜Ｎ）
２２：装置冷却用ＦＡＮ　　　　　２３：監視制御盤
【図１】
2004080122.tif 000003
【図２】
2004080122.tif 000004